(57)【特許請求の範囲】
【請求項１】
薄型ディスプレイ部をその前面にもつ本体部と、この本体部を支持するスタンド部とを備えたデスクトップ型のコンピュータ装置であって、
上記薄型ディスプレイ部の裏側に、この薄型ディスプレイ部と平行かつ近接してメインシャーシ板を配設して、このメインシャーシ板の裏側にマザーボードを取り付け、
上記メインシャーシ板の裏側に垂設された保持板上に電源部を配設して、
上記保持板の下方に、増設装置を直接または装着用アタッチメントを介して着脱可能に収納する装着部を備えたことを特徴とするコンピュータ装置。
【請求項２】
請求項１記載において、
前記マザーボードの部品搭載面の主体部および前記電源部の少なくとも上面を、前記本体部の外筐ケーシングにおける放熱穴形成部位に、直接対向させるようにしたことを特徴とするコンピュータ装置。
【請求項３】
請求項２記載において、
前記マザーボードの上部を覆う前記本体部の外筐ケーシング部位にも、放熱穴を形成したことを特徴とするコンピュータ装置。
【請求項４】
薄型ディスプレイ部をその前面にもつ本体部と、この本体部を支持するスタンド部とを備えたデスクトップ型のコンピュータ装置であって、
上記薄型ディスプレイ部の裏側に、この薄型ディスプレイ部と平行かつ近接してメインシャーシ板を配設して、このメインシャーシ板の裏側にマザーボードを取り付けると共に、このマザーボードに拡張ボード装着用のコネクタボードを垂設して、このコネクタボードに拡張ボートを上記マザーボードと平行に増設可能とし、
上記メインシャーシ板の裏側に垂設された保持板上に電源部を配設して、
上記保持板の下方に、増設装置を直接または装着用アタッチメントを介して着脱可能に収納する装着部を備えたことを特徴とするコンピュータ装置。
【請求項５】
請求項４記載において、
前記マザーボードの部品搭載面の主体部または増設された前記拡張ボートを、前記本体部の外筐ケーシングの裏面側に設けた放熱穴に直接対向させると共に、この外筐ケーシングの裏面側に設けた放熱穴から、前記マザーボード、前記拡張ボード、前記電源部から発散した熱を外部に放出するようにしたことを特徴とするコンピュータ装置。
【請求項６】
請求項５記載において、
前記マザーボードの上部を覆う前記本体部の外筐ケーシング部位にも、放熱穴を形成したことを特徴とするコンピュータ装置。
【請求項７】
請求項１または４記載のコンピュータ装置において、
前記装着部は、第１サイズタイプの増設装置用の第１の装着部と、第２サイズタイプの増設装置用の第２の装着部とが設けられたことを特徴とするコンピュータ装置。
【請求項８】
請求項７記載において、
前記第１の装着部と前記第２の装着部とは、隣接して水平配置されたことを特徴とするコンピュータ装置。
【請求項９】
請求項８記載において、
前記第１の装着部と前記第２の装着部には、少なくとも、ＵＳＢコネクタまたはＩＥＥＥ１３９４コネクタが備えられたことを特徴とするコンピュータ装置。
【発明の詳細な説明】
【０００１】
【発明の属する技術分野】
本発明は、コンピュータ装置に係り、特に、液晶ディスプレイ等の薄型ディスプレイを備えたデスクトップ型のコンピュータ装置に関する。
【０００２】
【従来の技術】
液晶ディスプレイを用いてデスクトップ型のコンピュータ装置を構成すると、例えば、本願出願人が特願平９−２５２７６号によって先に提案したように、デスクトップ型のコンピュータ装置を、コンパクトでスペース効率に優れたものとすることができる。すなわち、上記した先願による技術においては、液晶ディスプレイの裏側に、この液晶ディスプレイと平行かつ近接してマザーボード（メイン基板）を取り付け、装置のコンパクト化を図っている。
【０００３】
【発明が解決しようとする課題】
ところで、上記した先願による技術では装置のコンパクト化は図れるものの、コンピュータ装置の放熱の効率化については、未だ改善の余地のあるものであった。また、近時出現もしくは将来出現が予測される多様な記録ドライブや携帯機器などへの対応についても、考慮がなされていなかった。
【０００４】
また、コンピュータ装置と光通信を行うワイヤレス型のキーボード装置も知られているが、ワイヤレス型のキーボード装置における光通信部の好適な構成についても、従来技術においては十分に検討されていなかった。
【０００６】
本発明の目的とするところは、近時出現もしくは将来出現が予測される多様な記録ドライブや携帯機器などの機器に、対応可能なコンピュータ装置とすることにある。
【０００８】
【課題を解決するための手段】
本発明は上記した目的を達成するため、薄型ディスプレイ部をその前面にもつ本体部と、この本体部を支持するスタンド部とを備えたデスクトップ型のコンピュータ装置であって、上記薄型ディスプレイ部の裏側に、この薄型ディスプレイ部と平行かつ近接してメインシャーシ板を配設して、このメインシャーシ板の裏側にマザーボードを取り付け、上記メインシャーシ板の裏側に垂設された保持板上に電源部を配設して、上記保持板の下方に、増設装置を直接または装着用アタッチメントを介して着脱可能に収納する装着部を備える。
【００１１】
【発明の実施の形態】
以下、本発明の実施の形態を、図面を用いて説明する。
図１〜図２２は本発明の第１実施形態に係るデスクトップ型のコンピュータ装置およびそれに用いるキーボート装置に係り、図１は本実施形態に係るデスクトップ型のコンピュータ装置と、それに用いるワイヤレス型のキーボート装置およびワイヤレス型のマウスとを示す斜視図である。
【００１２】
図１において、１はデスクトップ型のコンピュータ装置、２００はワイヤレス型のキーボート装置、３００はワイヤレス型のマウスであり、本実施形態を含め本発明によるデスクトップ型のコンピュータ装置は、入力操作手段として光通信を行うワイヤレス型のキーボート装置２００およびマウス３００の使用を前提としているが、通常のコード接続されるキーボート装置やマウスの使用も可能となっている。
【００１３】
また、図２はコンピュータ装置１の裏面側から見た斜視図、図３はコンピュータ装置１の正面図、図４はコンピュータ装置１の平面図、図５はコンピュータ装置１の裏面図、図６はコンピュータ装置１の右側面図、図７はコンピュータ装置１の左側面図である。
【００１４】
図１〜図７において、２はコンピュータ装置１の本体部、３は本体部２を支持するスタンド部、４は本体部２の外筐体をなすケーシングであり、このケーシングは、扁平な上部ケーシング部５と、所定の奥行き幅をもつ下部ケーシング部６とからなっている。
【００１５】
図１および図３に示すように、本体部２の前面側には液晶ディスプレイ７が配設されており、液晶ディスプレイ７の下部中央には、赤外線によって情報を送受信するための第１の光通信部（光送受信部）８および第２の光通信部（光送受信部）９と、システムオン／オフスイッチ１０が設けられている。第１の光通信部８は、キーボート装置２００およびマウス３００と光通信を行い、第２の光通信部９は、キーボート装置２００およびマウス３００以外の他の電子機器（例えば、携帯情報通信端末、電子カメラ等々）と光通信を行う。また、システムオン／オフスイッチ１０は、後述する主電源スイッチが投入された状態において、システムをオン／オフさせるために用いられる。
【００１６】
また、第１，第２の光通信部８，９およびシステムオン／オフスイッチ１０の下側（本体部２の下側）には、第１の装着部１１と第２の装着部１２とが水平方向に隣接して配設されており、第１，第２の装着部１１，１２には、後で詳述するように、各種メモリ装置あるいは各種携帯端末機器あるいはバッテリー装置等の機器が、直接または装着用アタッチメントを介して着脱可能となっており、第１，第２の装着部１１，１２は、マルチ機器対応の装着部して機能付けられている。そして、第１の装着部１１は、第１サイズタイプのマルチ機器用の装着部となっており、第２の装着部１２は、第２サイズタイプのマルチ機器用の装着部となっている。
【００１７】
図６に示すように、下部ケーシング部６の右側面には、主電源スイッチ１３と、ＡＣケーブル用ソケット１４と、ワイヤ接続されるマウス用のマウスコネクタ１５と、ワイヤ接続されるキーボード装置用のキーボードコネクタ１６と、電源と情報とが同時に授受可能なＵＳＢ（ユニバーサルシリアルバス）コネクタ１７，１８とが設けられている。なお、図６では、ＡＣケーブル用ソケット１４にＡＣプラグ１９が接続された状態を示しており、このＡＣプラグ１９は図５に示すように正面から見ると、上部ケーシング部５によって隠されてＡＣケーブル２０のみが見えるように構成されていて、正面からの見映えを損なわないよう配慮してある。
【００１８】
図７に示すように、下部ケーシング部６の左側面には、ゲーム／ＭＩＤＩコネクタ２１と、ヘッドホンコネクタ２２と、外部スピーカ用コネクタ２３と、マイクコネクタ２４とが設けられている。さらに、下部ケーシング部６の左側面には、着脱可能な拡張スロットカバー２５が設けられていて、本体部１内に拡張ボードを装着し、この拡張ボードに外部接続用のコネクタがある場合にはこれを露呈するために、拡張スロットカバー２５は取り外されるようになっている。
【００１９】
図２に示すように、上部ケーシング部５の裏面右側には、スライド可能な開閉カバー２６が設けられていて、図５のＡ−Ａ線断面の拡大図に示すように、開閉カバー２６をスライド操作して開放した際には、上部ケーシング部５の裏面に開口部２７が形成されるようになっている。図５および図７は開閉カバー２６を開放した状態を示しており、この状態では図７に示すように、上部ケーシング部５の裏面には、ＣＲＴディスプレイ用コネクタ２８と、プリンタ用コネクタ２９と、シリアルポートの周辺機器用コネクタ３０，３１と、ＬＡＮ用コネクタ３２と、モデム用コネクタ３３とが露呈するようになっている。なお、図５および図７では、周辺機器用コネクタ３１に周辺機器からの接続コード３４を接続した状態を示してあり、このように開口部２７内のコネクタにコードを接続しても、接続個所は正面から見えず、正面からの見映えを損なわないよう配慮してある。
【００２０】
図２などに示すように、上部ケーシング部５の上面および裏面と、下部ケーシング部６の上面には、放熱穴３５が形成されており、また、下部ケーシング部６の裏面には、手指を差し込むため凹部３７が形成されている。
【００２１】
本実施形態においては、本体部２はスタンド部３にチルト動作可能に保持されていて、本体部２はスタンド部３に対して、許容された角度範囲内（例えば、前に５〜１０°程度、後に２０°〜２５°程度の角度範囲内）において前後にチルト動作が可能とされている。図８は、本体部２を後側に傾けた状態を示す説明図である。
【００２２】
図９は図８の断面図であって、同図に示すように、スタンド部３のベース板４０に植設された保持支柱４１と、本体部２の下部と一体の保持支柱４２とは、ヒンジ部４３によって相対回動可能であるように結合されていて、許容された角度範囲内において、本体部２はチルト動作が可能となっている。そして、本体部２は任意のチルト角において、ヒンジ部４３の摩擦力によって位置決めされるようになっていると共に、本体部２が後に１５°傾いた位置では、ヒンジ部４３に設けた図示せぬディテント（節度）機構によって、本体部２は確実に位置決めされるようになっている。
【００２３】
また、図９において、４４は液晶ディスプレイ７の保護ガラス、４５は、液晶ディスプレイ７の裏面側に、液晶ディスプレイ７と平行かつ近接して配設されたメインシャーシ板で、このメインシャーシ板４５の裏側にはマザーボード４６が取り付けられている。４７は、メインシャーシ板４５の下部側にメインシャーシ板４５と直交するように固設された保持板で、この保持板４７上には電源部４８が搭載されている。また、保持板４７の下側には拡張ボード４９の収納部５０が設けられており、拡張ボード４９を装着する際には、下部ケーシング部６の裏面側を取り外して、拡張ボード４９をマザーボード４６に設けたコネクタ５１に装着・接続するようになっている。上記の拡張ボード４９の収納部５０の下側には、内蔵記憶ディスク装置としてのハードディスクドライブ５１が収納されていて、このハードディスクドライブ５１の下側に、前記したマルチ機器対応の第１，第２の装着部１１，１２が設けられている（図９では、装着部に適宜の機器が装着された状態を示している）。なお、５３は下部ケーシング部６の前面側に内蔵されたスピーカである。
【００２４】
図９に示すように、本実施形態においては、マザーボード４６の部品搭載面の主体部および電源部４８の上面と、本体部２のケーシング４との間には、他の部材を介在させないように構成してあり、マザーボード４６の部品搭載面の主体部および電源部４８の上面は、ケーシング４に形成した前記放熱穴３５と、直接対向するようになっている。また、上部ケーシング部５の下面と、下ケーシング部６の下面と、下ケーシング部６の裏面における前記凹部３７の上面には、それぞれ空気取り入れ穴５４が形成してある。そして、これら各部の空気取り入れ穴５４からケーシング４内に入った空気は、マザーボード４６や電源部４８の放熱によって温められて、上部ケーシング部５の上面および裏面と、下部ケーシング部６の上面にそれぞれ設けた前記放熱穴３５から、外部に放出されるようになっている。
【００２５】
すなわち、本実施形態においては、マザーボード４６の部品搭載面の主体部および電源部４８の上面が、ケーシング４に形成した放熱穴３５と直接対向するようになっているので、空気取り入れ穴５４から入った空気が自然対流によって効率良く流れ、自然対流のみによってマザーボード４６と電源部４８とを効率良く冷却できるようになっている。なお、マザーボード４６の下部などに冷却ファンを取り付けることも可能で、このようにした場合には、より一層冷却効率が高まる。
【００２６】
図１０は、前記したマルチ機器対応の第１，第２の装着部１１，１２に装着・接続可能な機器例を示す説明図である。
コンピュータ装置に接続あるいは増設可能な機器は多種多様ではあるが、そのサイズとしては、３．５インチフロッピーディスクドライブ等に代表される第１サイズタイプに準ずる形状と、ＣＤ−ＲＯＭドライブ等に代表される第２サイズタイプに準ずる形状とに、おおまかに言って集約される傾向にあり、近い将来出現するであろうコンピュータ装置に接続あるいは増設可能な機器も、この傾向を踏襲する可能性が高い。また、接続されるコネクタ形式も、前記したＵＳＢコネクタが、その接続の容易さから採用される傾向が高まってきている。
【００２７】
前記第１の装着部１１は、上記第１サイズタイプの機器に対応するためのもので、第１サイズタイプの機器としては、例えば、３．５インチフロッピーディスクドライブ６０、ＭＤの光ディスクドライブ６１、ＰＣカード６２、ハードディスクドライブ６３、磁気カード読み書き装置６４、コネクタユニット６５、小型情報通信端末６６等々が考えられ、この他にも図示していないが、バッテリー装置やＩＣカード読み書き装置なども考えられる。上記したようなディスクドライブを第１の装着部１１に装着すると、所望の記録メディアディスクに読み書き可能となり、ＰＣカード６２を第１の装着部１１に装着すると、所望のソフト等がダウンロード可能となる。また、磁気カード読み書き装置６４やＩＣカード読み書き装置を第１の装着部１１に装着すると、カードに記憶されたＩＤ情報等を読み取ることで、システムの使用制限等を行うことができ、セキュリティ性を高めることができる。また、コネクタユニット６５を第１の装着部１１に装着すると、このコネクタユニット６５の外部機器接続用のコネクタ部に、例えばデジタルカメラを装着・接続することで、デジタルカメラとの情報の授受が可能となり、抜き差しが頻繁な外部機器接続用のポートして好適なものとなる。なお、コネクタユニット６５の外部機器接続用のコネクタには、ＵＳＢコネクタ６５ａやＩＥＥＥ１３９４コネクタ６５ｂを設けることが望ましい。
【００２８】
前記第２の装着部１２は、前記第２サイズタイプの機器に対応するためのもので、第２サイズタイプの機器としては、例えば、ＤＶＤ−ＲＯＭドライブ（ここではスロットイン式）６６、ＣＤ−ＲＯＭドライブ（ここではトレイ式）６７などが考えられ、また、第１サイズタイプの機器（ここでは、例えば第１サイズタイプのバッテリー装置６９）にサイズ合わせアタッチメント６８を付けて装着することも考えられる。上記したようなディスクドライブを第２の装着部１２に装着すると、所望の記録メディアディスクに読み書き可能となる。また、サイズ合わせアタッチメント６８を付けると、第１サイズタイプの機器が第２の装着部１２にも装着可能となり、第１の装着部１１と合わせると、第１サイズタイプの機器を２台装着可能となる。
【００２９】
また、第１の装着部１１と第２の装着部１２とにまたがって、大型バッテリー装置７０を装着することも可能なようになっている。このようにバッテリー装置を装着すると、コンセントのない場所での使用や、停電時の使用が可能となる。
【００３０】
このように、マルチ機器対応の謂わばマルチパーパスベイとしての第１，第２の装着部１１，１２を備えることによって、本実施形態のデスクトップ型のコンピュータ装置は、多種多様な機器を接続して使用することが可能となり、使い勝手が大幅に向上し、また、性能アップや機能アップに大いに貢献する。なお、コンピュータ装置１は、電気的なインターフェース手段として、現在普及している代表的な複数種類の周辺機器用のインターフェース手段を具備したものとなっている。
【００３１】
第１の装着部１１および第２の装着部１２には、電源と情報の授受が同時に可能な前記ＵＳＢコネクタまたはＩＥＥＥ１３９４コネクタが少なくとも設けられており、また、必要に応じて、ＵＳＢコネクタ（またはＩＥＥＥ１３９４コネクタ）と、電源コネクタと、情報授受用のＰＣＩ（Peripheral Component Interconnect ）などの接続コネクタとが設けられる。
【００３２】
図１１および図１２は、第２の装着部１２にＵＳＢコネクタ８０と電源コネクタ８１とＰＣＩ仕様の接続コネクタ８２とが設けられた例を示しており、図１３および図１４は、第２の装着部１２にＵＳＢコネクタ８０のみが設けられた例を示している。なお、第１の装着部１１にも、ＵＳＢコネクタ８０と電源コネクタ８１とＰＣＩ仕様の接続コネクタ８２とが設けられる場合と、ＵＳＢコネクタ８０のみが設けられる場合とがあるが、ここでは、第２の装着部１２を代表して、第２の装着部１２への機器の装着例を説明する。なお、ＵＳＢコネクタ８０および接続コネクタ８２は前記マザーボード４６に接続されており、電源コネクタ８１は前記電源部４８に接続されている。
【００３３】
図１１〜図１４において、各図の（ａ）は第２の装着部１２の断側面図を、各図の（ｂ）は装着部１２の断平面図を、各図の（ｃ）は第２の装着部１２の奥方に設けたコネクタを、それぞれ示している。
【００３４】
図１１は、装着用アタッチメント８３を介して、ＵＳＢコネクタ８５をもつ機器８４を、第２の装着部１２に装着・接続した例を示している。ここに示した例では、装着用アタッチメント８３に、中継ＵＳＢコネクタ８６と中継電源コネクタ８７とＰＣＩ仕様の中継接続コネクタ８８とが設けられていて、装着用アタッチメント８３に装着された機器８４のＵＳＢコネクタ８５と、装着用アタッチメント８３の中継ＵＳＢコネクタ８６とがまず接続される。次に、機器８４を内蔵した装着用アタッチメント８３が第２の装着部１２に装着されて、装着用アタッチメント８３の中継ＵＳＢコネクタ８６と、第２の装着部１２のＵＳＢコネクタ８０とが接続され、これによって、機器８４が第２の装着部１２、すなわちコンピュータ装置１に接続されるようになっている。なお、装着用アタッチメント８３を用いる必要のない機器の場合には、機器のＵＳＢコネクタ８５と第２の装着部１２のＵＳＢコネクタ８０とが直接接続されることになる。
【００３５】
図１２は、装着用アタッチメント８３を介して、電源コネクタ９１とＰＣＩ仕様の接続コネクタ９２とをもつ機器９０を、第２の装着部１２に装着・接続した例を示している。本例では、装着用アタッチメント８３に装着された機器９０の電源コネクタ９１およびＰＣＩ仕様の接続コネクタ９２が、装着用アタッチメント８３の中継電源コネクタ８７およびＰＣＩ仕様の中継接続コネクタ８８と、まずそれぞれ接続される。次に、機器９０を内蔵した装着用アタッチメント８３が第２の装着部１２に装着されて、装着用アタッチメント８３の中継電源コネクタ８７およびＰＣＩ仕様の中継接続コネクタ８８が、第２の装着部１２の電源コネクタ８１およびＰＣＩ仕様の接続コネクタ８２と、それぞれ接続される。機器９０が第２の装着部１２、すなわちコンピュータ装置１に接続されるようになっている。なお、装着用アタッチメント８３を用いる必要のない機器の場合には、機器の電源コネクタ９１およびＰＣＩ仕様の接続コネクタ９２が、第２の装着部１２の電源コネクタ８１およびＰＣＩ仕様の接続コネクタ８２に、それぞれ直接接続されることになる。
【００３６】
図１３は、装着用アタッチメント９５を介して、ＵＳＢコネクタ８５をもつ機器８４を、第２の装着部１２に装着・接続した例を示しており、ここに示した例では、第２の装着部１２にはＵＳＢコネクタ８０のみが設けられており、また、装着用アタッチメント９５には中継ＵＳＢコネクタ８６のみが設けられている。本例では、装着用アタッチメント９５に装着された機器８４のＵＳＢコネクタ８５と、装着用アタッチメント９５の中継ＵＳＢコネクタ８６とがまず接続される。次に、機器８４を内蔵した装着用アタッチメント９５が第２の装着部１２に装着されて、装着用アタッチメント９５の中継ＵＳＢコネクタ８６と、第２の装着部１２のＵＳＢコネクタ８０とが接続され、これによって、機器８４が第２の装着部１２、すなわちコンピュータ装置１に接続されるようになっている。なお、装着用アタッチメント９５を用いる必要のない機器の場合には、機器のＵＳＢコネクタ８５と第２の装着部１２のＵＳＢコネクタ８０とが直接接続されることになる。
【００３７】
図１４は、装着用アタッチメント１００を介して、ＵＳＢコネクタ８５をもつ機器１０１を、第２の装着部１２に装着・接続した例を示しており、ここに示した例でも、第２の装着部１２にはＵＳＢコネクタ８０のみが設けられている。また、装着用アタッチメント１００には、バネ１０２で押圧された調整板１０３が設けられていて、この調整板１０３と装着用アタッチメント１００の奥方板１０４とに、互いにコードで接続された中継ＵＳＢコネクタ８６ａ，８６ｂが設けられている。本例では、装着用アタッチメント１００に装着された機器１０１のＵＳＢコネクタ８５と、装着用アタッチメント１００の中継ＵＳＢコネクタ８６ａとがまず接続される。次に、機器１０１を内蔵した装着用アタッチメント１００が第２の装着部１２に装着されて、装着用アタッチメント１００の中継ＵＳＢコネクタ８６ｂと、第２の装着部１２のＵＳＢコネクタ８０とが接続され、これによって、機器１０１が第２の装着部１２、すなわちコンピュータ装置１に接続されるようになっている。かような構成をとると、奥行き寸法の異なる機器に対応可能なり、短尺の機器を装着する場合に好適である。なおまた、このような寸法調整機能をもつコネクタ手段は、装着用アタッチメントではなく、第２の装着部１２側に設けてもよい。
【００３８】
以上、図１１〜図１４を用いた説明では、第２の装着部１２への機器の装着例を示したが、第１の装着部１１への機器の装着も、同様に行えることは言うまでもない。
【００３９】
なおまた、図示していないが、装着用アタッチメントに接続形式変換機能をもつ中継コネクタを設けること、すなわち、電源コネクタとＰＣＩ仕様の接続コネクタとを、ＵＳＢコネクタに接続できる形式に変換する中継コネクタを設けたり、ＵＳＢコネクタを、電源コネクタとＰＣＩ仕様の接続コネクタとに接続できる形式に変換する中継コネクタを設けることによって、装着用アタッチメント内に装着される機器が、電源コネクタとＰＣＩ仕様の接続コネクタとをもち、第１の装着部１１または第２の装着部１２がＵＳＢコネクタのみをもつ場合でも、接続可能となり、あるいは、装着用アタッチメント内に装着される機器が、ＵＳＢコネクタをもち、第１の装着部１１または第２の装着部１２が電源コネクタとＰＣＩ仕様の接続コネクタのみをもつ場合でも接続可能となる。
【００４０】
次に、本発明によるキーボード装置２００の第１実施形態について説明する。図１５および図１６は本実施形態のキーボード装置２００のそれそれぞれ平面図および右側面図であり、本実施形態のキーボード装置２００は、先にも述べたように、コンピュータ装置１と光通信を行うワイヤレス型のキーボード装置となっており、バッテリーを内蔵している。
【００４１】
図１６に示すように、本実施形態のキーボード装置２００のケーシング２０１は、奥方に行くにしたがって漸次高さが増すようになっており、ケーシング２０１の奥面（背面）は、図１６で見て右下がりの傾斜面２０１ａとされている。この傾斜面（奥面）２０１ａの中央位置には、図１５に示すように、コンピュータ装置１の前記した第１の光通信部８と光通信を行うための、光通信部（光送受信部）２０２が設けられている。
【００４２】
図１７は、本実施形態のキーボード装置２００の光通信部２０２と、コンピュータ装置１の第１の光通信部８との関係を示す説明図である。同図に示すように、コンピュータ装置１の第１の光通信部８たる光送受信ユニットは、組み立て性を考慮して、その光軸がメインシャーシ板４５と直交するように取り付けられている。これに対して、キーボード装置２００の光通信部２０２たる光送受信ユニットは、その光軸が傾斜面（奥面）２０１ａと略直交するように取り付けられている。このため、キーボード装置２００の光通信部２０２の光軸は斜め上向きのものとなり、光通信部２０２の有効送信角度α（例えば、６０°程度）内に、コンピュータ装置１の本体部２の前面における液晶ディスプレイ７の下側の略中央に設けられた第１の光通信部８が、必ず入ることになり、良好な光通信を（特に、光送信を）行うことが可能なようになっている。ここで、コンピュータ装置１側の第１の光通信部８は、不要な混信を避けるため或る程度低い位置に設けられることが通常と考えられるので、光通信部２０２の光軸が水平となす角度βは、５〜２５°程度であることが望ましい。
【００４３】
図１８は、本実施形態のキーボード装置２００と前記コンピュータ装置１との配置寸法関係の１例を示す図で、同図に示した配置関係では、光通信部２０２の光軸がコンピュータ装置１の第１の光通信部８を通るようになる。
【００４４】
図１９は、本発明によるキーボード装置の第２実施形態の要部構成を示す図である。本実施形態では、キーボード装置２００の光通信部（光送受信ユニット）２０２を、支軸２１０の周りを回動可能とされた回動ユニット２１１に搭載しており、回動ユニット２１１のつまみ２１１ａを操作して、回動ユニット２１１を所望角度に回転させることによって、光通信部２０２の光軸方向を上下方向に振って調整できるように構成してある。なお、回動ユニット２１１は、バネ力などによって任意角度で位置決めできるように構成してある。
【００４５】
かような構成をとると、キーボード装置２００の光通信部２０２とコンピュータ装置１の第１の光通信部８とが、常に好適な光通信を行うようにすることができ、他の光通信方式の機器との干渉を避けるために、光通信部２０２や光通信部８の有効送信角度が小さい場合であっても、良好な光通信を行うことが可能となる。
【００４６】
図２０は、前記第１実施形態のコンピュータ装置１とキーボード装置２００とを組み合わせた状態を示す図であり、図２１は、図２０のＰ部の拡大断面図である。
【００４７】
コンピュータ装置１の本体部２を、スタンド部３に対して後に１５°傾けた状態では、先にも述べたように、本体部２はディテント機構によって位置決めされるようになっている。この状態においては、本体部２の上部ケーシング部５の下面とスタンド部３の上面との間に、キーボード装置２００における平面から見た短手方向の長さが略一致するようになっており、キーボード装置２００は、上部ケーシング部５の下面とスタンド部３の上面との間に収納できる。
【００４８】
上記収納状態においては、上部ケーシング部５の下面に設けた突起１１０に、キーボード装置２００のケーシング２０１に設けた凹部２２０が嵌まり合い、また、キーボード装置２００のスライドロック手段２２１を操作することによって、スライドロック手段２２１がスタンド部３に設けた係止孔１１１と係合する。図２１は、キーボード装置２００がコンピュータ装置１側にロックして取り付けられた状態を示しており、この状態では、コンピュータ装置１とキーボード装置２００とを一体化して、容易に持ち運び可能となる。
【００４９】
図２２は、コンピュータ装置１とキーボード装置２００とを一体化して、片手で携行している様子を示している。本体部２の上部ケーシング部５は先にも述べたように扁平なものとなっているので、肘を張らずに楽な姿勢で、キーボード装置２００を一体化したコンピュータ装置１を、脇の下に入れて持ち運びすることができる。また、本体部２の下部ケーシング部６の裏面には、前記した手指を差し込むための凹部３７が形成されており、さらに、凹部３７と下部ケーシング部６の上面との距離を、標準的な人間の人指指から小指の全長よりも所定量短いものに設定することにより、図２０に示すように、凹部３７に人指指から小指を差し込み、かつ、下部ケーシング部６の上面に手の平の少なくとも一部を当接させることで、下部ケーシング部６の裏面肩部を片手でしっかりとホールドすることができるようになっている。
【００５０】
かような構成にすることで、コンピュータ装置１およびキーボード装置２００を、片手で確実・容易に持ち運びすることが可能となる。
【００５１】
図２３は、本発明の第２実施形態のコンピュータ装置１を示す背面からみた斜視図で、前記した第１実施形態のコンピュータ装置１と相違するのは、本体部２の下部ケーシング６’の上面から裏面にかけての形状を、弧状のスロープ形状にしたことである。このような構成にしても、下部ケーシング部６’を片手でしっかりとホールドすることができ、第１実施形態のコンピュータ装置１と同様の、良好な携帯性を維持することができる。
【００５２】
図２４は、本発明の第３実施形態のコンピュータ装置１を示す断側面図、図２５は、本発明の第３実施形態のコンピュータ装置１を示す背面からみた斜視図であり、図２４，図２５において、前記した実施形態と均等なものには同一符号を付してある。
【００５３】
図２４，図２５に示す本実施形態においては、本体部２の外筐体をなすケーシング４’の断面を、その上部から下部に向かって漸次奥行き幅が拡がる形状にしてあり、ケーシング４’の裏面の上部に、手指を差し込むための凹部３７を形成してある。
【００５４】
ケーシング４’内の構成は、図９に示した前記第１実施形態の構成と略同様であるが、本実施形態では、前記マザーボード４６に拡張ボード装着用のコネクタボード（ライザーボード）１２０を垂設してあり、このマザーボード４６に、拡張ボード４９’をマザーボード４６と平行に増設可能としてある。そして、マザーボード４６の部品搭載面の主体部または増設された拡張ボード４９’とケーシング４’との間には、他の部材を介在させないように構成すると共に、前記電源部４８の上面とケーシング４’との間には、所定間隔をおいたコネクタボード１２０以外に、他の部材を介在させないように構成してある。
【００５５】
そして、本実施形態においても、ケーシング４’の下面に設けた前記空気取り入れ穴５４から入った空気が、マザーボード４６、拡張ボード４９’、電源部４８の放熱によって温められて、ケーシング４’の裏面や上面に設けた前記放熱穴３５から、外部に放出されるようになっており、これにより、自然対流によってマザーボード４６、拡張ボード４９’、電源部４８の各部が効率よく冷却されるようになっている。なお、マザーボード４６の下部などに冷却ファンを取り付けることも可能で、このようにした場合は、より一層冷却効果が高まるのは先と同様である。
【００５６】
図２６は、本発明の第４実施形態のコンピュータ装置１を示す背面からみた斜視図で、上記した第３実施形態のコンピュータ装置１と相違するのは、本体部２のケーシング４”の形状であり、本実施形態のケーシング４”は、その背面の下部が角箱状のものとされ、ケーシング４”の背面の下部に、手指を差し込むための凹部３７を設けたものである。かような構成の本実施形態のコンピュータ装置１も、第３実施形態のコンピュータ装置１と同様の効果を奏する。
【００５７】
次に、本発明によるマウス３００の第１実施形態について説明する。図２７〜図３５はマウス３００の第１実施形態に係り、図２７はマウス３００の斜視図、図２８はマウス３００の平面図、図２９はマウス３００の正面図、図３０はマウス３００の右側面図である。
【００５８】
図２７〜図３０において、３０１はマウス３００の外筐体を構成するケーシングで、上ケーシング部３０２と下ケーシング部３０３とからなっている。３０４，３０５はクリック用の押下可能なマウスボタン、３０６は光通信部（光送信部）を内蔵した回転体、３０７は回転体３０６に設けた回転操作用の突条、３０８は上ケーシング部３０２の凹部３０９に設けた３つのＩＤ設定スイッチ（ディップスイッチ）である。
【００５９】
本実施形態のマウス３００は、コンピュータ装置１と光通信を行うワイヤレス型のマウスとなっており、回転体３０６内に内蔵された後述する光通信部（光送信部）によって、コンピュータ装置１の前記した第１の光通信部８に対して情報を送信可能となっている。回転体３０６内の光通信部は、回転体３０６の回転位置に応じて所定量だけ水平方向に回転位置を変えることが可能となっており、回転体３０６に設けた突条３０７は、回転体３０６内の光通信部の位置を示す指標としても機能するようになっている。
【００６０】
図３１は、上ケーシング部３０２に設けた３つのＩＤ設定スイッチ３０８を示す要部拡大図で、図３１の（ａ），（ｂ），（ｃ）などに示すように、３つのＩＤ設定スイッチ３０８の操作部のドライバー溝を、それぞれ縦位置または横位置に適宜設定することによって、８通りのＩＤ（識別）情報が設定可能となっている。そして、コンピュータ装置１がマウス３００のＩＤを認知することによって、使用を許可したりあるいは制限できるように構成されている。なお、３つのＩＤ設定スイッチ３０８は外部から一目で視認できるので、その設定状態の確認が容易であると共に、ＩＤ設定スイッチ３０８は凹部３０９に位置しているので、不用意に設定スイッチ３０８が触られる虞もない。
【００６１】
図３２は、本実施形態のマウス３００を充電用アダプターに載置した状態の断側面図である。図３２において、３１０はボール、３１１はボール動作検知ユニット、３１２は基板、３１３はマウスボタン３０５（または３０６）で操作されるタクトスイッチ、３１４は充電可能な２次電池、３１５は充電用接続端子である。充電用アダプター３２０上の所定位置にマウス３００を搭載した状態では、マウス３００側の充電用接続端子３１５と、充電用アダプター３２０側の充電用接続端子３２１とが接続され、２次電池３１４に充電が行われるようになっている。なお、３２２は、充電用アダプター３２０から導出されたＡＣケーブルである。
【００６２】
図３２に示すように、回転体３０６は、下ケーシング部３０３に突設した支持軸３１６の周りを所定量（例えば、中央位置から左右に５０°）だけ回転可能であるように保持されていて、この回転体３０６に、支持部材３１７を介して光通信部（光送信部）３１８が一体に取り付けられている。したがって、回転体３０６が回転すると光通信部３１８も、一体となって水平方向に回動するようになっている。なお、回転体３０６は支持軸３１６などに対して、摩擦力等である程度は位置決めされるようになっている。
【００６３】
支持部材３１７に取り付けられた光通信部３１８の光軸は、前記したキーボード装置２００における光通信部２０２と同様に、斜め上向きとなるように構成されていて、光通信部３１８の有効送信角度α（例えば、６０°程度）内に、コンピュータ装置１の本体部２の前面における液晶ディスプレイ７の下側の略中央に設けられた第１の光通信部８が、必ず入るようにして、良好な光送信を行うことが可能なようにしてある。ここで、先にも述べたように、コンピュータ装置１側の第１の光通信部８は、不要な混信を避けるため或る程度低い位置に設けられることが通常と考えられるので、光通信部３１８の光軸が水平となす角度βは、５〜２５°程度であることが望ましい。
【００６４】
図３３は、本実施形態のマウス３００と前記第１実施形態のコンピュータ装置１との配置寸法関係の１例を示す図で、同図に示した位置関係では、光通信部３１８の光軸がコンピュータ装置１の第１の光通信部８を通るようになる。
【００６５】
ところで、本実施形態のマウス３００では、回転体３０６と共に光通信部３１８が水平方向に回動するようにしているので、例えば、右利きのオペレータが右手で使用する場合には、図３４に示すように、光通信部３１８をマウスボタン３０４側へ回すことにより、光通信部３１８の有効送信角度α（例えば、６０°程度）内に、コンピュータ装置１の第１の光通信部８が必ず入って、確実に光通信を行うことができる。また、図示していないが、左利きのオペレータが左手で使用する場合には、光通信部３１８をマウスボタン３０５側へ回すことにより、キーボード装置２００の左側で使用するマウス３００の光通信部３１８の有効送信角度α内に、コンピュータ装置１の第１の光通信部８が必ず入って、確実に光通信を行うことができる。
【００６６】
これに対して、図３５に示すように、マウス３００の光通信部３１８が回転しないで常に中央位置にあるように構成すると、光通信部３１８の有効送信角度α内からコンピュータ装置１の第１の光通信部８が外れて、光通信を行うことができない事態が発生する虞がある。
【００６７】
以上のように、本実施形態のマウス３００においては、右利きのオペレータが使用しても、左利きのオペレータが使用しても、確実に光送信を行うことが可能となる。また、他の光通信方式の機器との干渉を避けるために、光通信部３１８の有効送信角度が小さい場合であっても、良好な光通信を行うことが可能となる。
【００６８】
図３６および図３７は、本発明によるマウス３００の第２実施形態に係り、図３６の（ａ），（ｂ）は要部断側面図、図３７は要部断平面図である。
【００６９】
本実施形態のマウス３００が、第１実施形態のマウス３００と異なるのは、支持部材３１７を介して光通信部３１８を保持した回転体３０６を、固設された支持軸３１９の回りを回転するように取り付けると共に、外周にカム面３１６ａを形成した支持軸３１６’を回転操作可能であるように構成して、かつ、支持部材３１７をバネ材によって形成して、支持部材３１７を支持軸３１６’のカム面３１６ａに常時弾接させるようにした点にある。
【００７０】
すなわち、本実施形態においては、第１実施形態のマウス３００と同様に、回転体３０６を回転させることによって、光通信部３１８を水平方向に回動（光通信部３１８の光軸を水平方向に回動）させることが可能となっていることに加えて、支持軸３１６’を下ケーシング部３０３の穴部から回転操作することにより、支持軸３１６’のカム面３１６ａによって、支持部材３１７を介して光通信部３１８を所定量上下方向に回動可能（光通信部３１８の光軸を上下方向に回動可能）なようにしてある。
【００７１】
かように構成をとる本実施形態のマウス３００では、光通信部３１８の任意の水平方向回動位置において、光通信部３１８の光軸を上下に振ることが可能となって、さらに一層良好な光送信を行うことが可能となる。
【００７３】
【発明の効果】
以上のように本発明によれば、近時出現もしくは将来出現が予測される多様な記録ドライブや携帯機器などの機器に、対応可能なコンピュータ装置を提供することができる。
【図面の簡単な説明】
【図１】本発明の第１実施形態に係るデスクトップ型のコンピュータ装置と、それに用いるワイヤレス型のキーボート装置およびワイヤレス型のマウスとを示す斜視図である。
【図２】本発明の第１実施形態に係るデスクトップ型のコンピュータ装置の裏面側から見た斜視図である。
【図３】本発明の第１実施形態に係るデスクトップ型のコンピュータ装置の正面図である。
【図４】本発明の第１実施形態に係るデスクトップ型のコンピュータ装置の平面図である。
【図５】本発明の第１実施形態に係るデスクトップ型のコンピュータ装置の裏面図である。
【図６】本発明の第１実施形態に係るデスクトップ型のコンピュータ装置の右側面図である。
【図７】本発明の第１実施形態に係るデスクトップ型のコンピュータ装置の左側面図である。
【図８】本発明の第１実施形態に係るデスクトップ型のコンピュータ装置における、本体部を後側に傾けた（チルト動作）させた際の右側面図である。
【図９】図８の断面図である。
【図１０】本発明の第１実施形態に係るデスクトップ型のコンピュータ装置における、マルチ機器対応の第１，第２の装着部に装着・接続可能な機器例を示す説明図である。
【図１１】本発明の第１実施形態に係るデスクトップ型のコンピュータ装置における、第２の装着部への機器の装着例を示す説明図である。
【図１２】本発明の第１実施形態に係るデスクトップ型のコンピュータ装置における、第２の装着部への機器の装着例を示す説明図である。
【図１３】本発明の第１実施形態に係るデスクトップ型のコンピュータ装置における、第２の装着部への機器の装着例を示す説明図である。
【図１４】本発明の第１実施形態に係るデスクトップ型のコンピュータ装置における、第２の装着部への機器の装着例を示す説明図である。
【図１５】本発明の第１実施形態に係るキーボード装置の平面図である。
【図１６】本発明の第１実施形態に係るキーボード装置の右側面図である。
【図１７】本発明の第１実施形態にキーボード装置の光通信部と、本発明の第１実施形態に係るデスクトップ型のコンピュータ装置の第１の光通信部との関係を示す説明図である。
【図１８】本発明の第１実施形態に係るキーボード装置とデスクトップ型のコンピュータ装置との配置寸法関係の１例を示す説明図である。
【図１９】本発明の第２実施形態に係るキーボード装置の要部構成を示す説明図である。
【図２０】本発明の第１実施形態に係るキーボード装置とデスクトップ型のコンピュータ装置とを組み合わせた状態を示す説明図である。
【図２１】図２０のＰ部の拡大断面図である。
【図２２】本発明の第１実施形態に係るキーボード装置とデスクトップ型のコンピュータ装置とを組み合わせた状態での、携行状態を示す説明図である。
【図２３】本発明の第２実施形態に係るデスクトップ型のコンピュータ装置の背面から見た斜視図である。
【図２４】本発明の第３実施形態に係るデスクトップ型のコンピュータ装置の断側面図である。
【図２５】本発明の第３実施形態に係るデスクトップ型のコンピュータ装置の背面から見た斜視図である。
【図２６】本発明の第４実施形態に係るデスクトップ型のコンピュータ装置の背面から見た斜視図である。
【図２７】本発明の第１実施形態に係るマウスの斜視図である。
【図２８】本発明の第１実施形態に係るマウスの平面図である。
【図２９】本発明の第１実施形態に係るマウスの正面図である。
【図３０】本発明の第１実施形態に係るマウスの右側面図である。
【図３１】本発明の第１実施形態に係るマウスにおける、ＩＤ設定スイッチを示す要部拡大図である。
【図３２】本発明の第１実施形態に係るマウスを充電用アダプターに載置した状態の断側面図である。
【図３３】本発明の第１実施形態に係るマウスとデスクトップ型のコンピュータ装置との配置寸法関係の１例を示す説明図である。
【図３４】本発明の第１実施形態に係るマウスを、右利き対応の光通信部の回転調整位置で使用している状態を示す説明図である。
【図３５】マウスの光通信部の位置が調整不能なものでの使用状態を示す説明図である。
【図３６】本発明の第２実施形態に係るマウスの要部断側面図である。
【図３７】本発明の第２実施形態に係るマウスの要部断平面図である
【符号の説明】
１  ディスクトップ型のコンピュータ装置
２  本体部
３  スタンド部
４  ケーシング
５  上部ケーシング部
６  下部ケーシング部
７  液晶ディスプレイ
８  第１の光通信部
９  第２の光通信部
１１  第１の装着部
１２  第２の装着部
３５  放熱穴
４５  メインシャーシ板
４６  マザーボード
４７  保持板
４８  電源部
５４  空気取り入れ口
２００  キーボード装置
２０１  ケーシング
２０１ａ  傾斜面
２０２  光通信部
２１１  回動ユニット
２２１  スライドロック手段
３００  マウス
３０６  回転体
３０８  ＩＤ設定スイッチ
３１８  光通信部
【図１】
0004015729.tif 000002
【図２】
0004015729.tif 000003
【図３】
0004015729.tif 000004
【図４】
0004015729.tif 000005
【図５】
0004015729.tif 000006
【図６】
0004015729.tif 000007
【図７】
0004015729.tif 000008
【図８】
0004015729.tif 000009
【図９】
0004015729.tif 000010
【図１０】
0004015729.tif 000011
【図１１】
0004015729.tif 000012
【図１２】
0004015729.tif 000013
【図１３】
0004015729.tif 000014
【図１４】
0004015729.tif 000015
【図１５】
0004015729.tif 000016
【図１６】
0004015729.tif 000017
【図１７】
0004015729.tif 000018
【図１８】
0004015729.tif 000019
【図１９】
0004015729.tif 000020
【図２０】
0004015729.tif 000021
【図２１】
0004015729.tif 000022
【図２２】
0004015729.tif 000023
【図２３】
0004015729.tif 000024
【図２４】
0004015729.tif 000025
【図２５】
0004015729.tif 000026
【図２６】
0004015729.tif 000027
【図２７】
0004015729.tif 000028
【図２８】
0004015729.tif 000029
【図２９】
0004015729.tif 000030
【図３０】
0004015729.tif 000031
【図３１】
0004015729.tif 000032
【図３２】
0004015729.tif 000033
【図３３】
0004015729.tif 000034
【図３４】
0004015729.tif 000035
【図３５】
0004015729.tif 000036
【図３６】
0004015729.tif 000037
【図３７】
0004015729.tif 000038